(57)【要約】  【課題】本発明には、人間の視覚特性を用いて解像度を向上させる概念が適用される。すなわち、本発明は、実際の物理的な解像度よりずっと向上した解像度の画質で見えるようにすることで、物理的に解像度が向上したのと同一な効果を得ることにその目的がある。  【解決手段】前記の目的のために、本発明は、一フレームに相当する映像信号を第１映像信号と第２映像信号に分離し、それぞれ第１映像と第２映像を形成して、スクリーンの第１位置と第２位置にディスプレイされるようにすることで、解像度が向上したかのように認識させる。  【選択図】図４
2007517243.tif 000002
【特許請求の範囲】
【請求項１】
光源と、
前記光源から放出された光と入力された映像信号を利用して、映像を形成する映像形成手段と、
前記映像形成手段で形成された映像を、スクリーン上に投射する投射手段と、
前記スクリーン上にディスプレイされる映像が変位するように、動く変位板と、
を含んで構成されることを特徴とするディスプレイ装置。
【請求項２】
前記映像形成手段は、透過型ＬＣＤを利用したことを特徴とする請求項１に記載のディスプレイ装置。
【請求項３】
前記映像形成手段は、ＬＣｏＳ(Liquid Crystal on Silicon)を利用したことを特徴とする請求項１に記載のディスプレイ装置。
【請求項４】
前記映像形成手段は、反射型ＬＣＤとＸ-プリズムを利用したことを特徴とする請求項１に記載のディスプレイ装置。
【請求項５】
前記映像形成手段は、カラーフィルとＤＭＤを利用したことを特徴とする請求項１に記載のディスプレイ装置。
【請求項６】
前記変位板は、前記映像形成手段と前記スクリーンとの間に形成されたことを特徴とする請求項１に記載のディスプレイ装置。
【請求項７】
前記変位板は、前記映像形成手段と前記投射手段との間に形成されたことを特徴とする請求項１に記載のディスプレイ装置。
【請求項８】
前記スクリーン上にディスプレイされる映像は、対角線方向に変位することを特徴とする請求項１に記載のディスプレイ装置。
【請求項９】
前記スクリーン上にディスプレイされる映像は、水平方向に変位することを特徴とする請求項１に記載のディスプレイ装置。
【請求項１０】
前記スクリーン上にディスプレイされる映像は、垂直方向に変位することを特徴とする請求項１に記載のディスプレイ装置。
【請求項１１】
前記変位板は、位置が変化することを特徴とする請求項１に記載のディスプレイ装置。
【請求項１２】
前記変位板は、角度が変化することを特徴とする請求項１に記載のディスプレイ装置。
【請求項１３】
前記変位板は、中心軸を有して、所定角度の範囲内で回転することを特徴とする請求項１に記載のディスプレイ装置。
【請求項１４】
前記変位板は、映像信号によって周期的に動くことを特徴とする請求項１に記載のディスプレイ装置。
【請求項１５】
前記映像信号は、一フレームに相当する映像信号が複数に分離されたことを特徴とする請求項１に記載のディスプレイ装置。
【請求項１６】
前記スクリーン上にディスプレイされる映像は、四角形状のピクセル構造を有することを特徴とする請求項１に記載のディスプレイ装置。
【請求項１７】
前記スクリーン上にディスプレイされる映像は、菱形状のピクセル構造を有することを特徴とする請求項１に記載のディスプレイ装置。
【請求項１８】
前記変位板は、透光体であることを特徴とする請求項１に記載のディスプレイ装置。
【請求項１９】
前記変位板は、光の屈折により光経路を変更することを特徴とする請求項１に記載のディスプレイ装置。
【請求項２０】
前記スクリーン上にディスプレイされる映像の変位した距離は、一ピクセルの大きさの以下であることを特徴とする請求項１に記載のディスプレイ装置。
【請求項２１】
光源と、
前記光源から放出された光と入力された映像信号を利用して、映像を形成する映像形成手段と、
前記映像形成手段で形成された映像を、スクリーン上に投射する投射手段と、
前記映像が形成されて投射される光経路上に形成されて、光経路を変更する光経路変更手段と、
を含んで構成されることを特徴とするディスプレイ装置。
【請求項２２】
前記光経路変更手段は、透光体であることを特徴とする請求項２１に記載のディスプレイ装置。
【請求項２３】
前記透光体は、屈折率が１．４〜２．０の範囲で選択されることを特徴とする請求項２２に記載のディスプレイ装置。
【請求項２４】
前記光経路変更手段は、入射される光と出射される光が、同一な進行方向を有し、相違する進行経路を有するようにすることを特徴とする請求項２１に記載のディスプレイ装置。
【請求項２５】
前記光経路変更手段は、光の屈折現像を利用したことを特徴とする請求項２１に記載のディスプレイ装置。
【請求項２６】
前記光経路変更手段は、映像信号によって周期的に光経路を変更することを特徴とする請求項２１に記載のディスプレイ装置。
【請求項２７】
前記光経路変更手段により発生する光の経路差(Ｄ)は、数１であることを特徴とする請求項２１に記載のディスプレイ装置。
【数１】
2007517243.tif 000005
【請求項２８】
前記光経路変更手段は、中心軸を有して、所定角度の範囲内で回転することを特徴とする請求項２１に記載のディスプレイ装置。
【請求項２９】
前記映像信号は、一フレームに相当する映像信号が複数に分離されたことを特徴とする請求項２１に記載のディスプレイ装置。
【請求項３０】
前記スクリーン上にディスプレイされる映像は、四角状のピクセル構造を有することを特徴とする請求項２１に記載のディスプレイ装置。
【請求項３１】
前記スクリーン上にディスプレイされる映像は、菱形状のピクセル構造を有することを特徴とする請求項２１に記載のディスプレイ装置。
【請求項３２】
光が放出されるランプと、
前記ランプから放出された光と入力された映像信号を利用して、映像を形成する液晶素子と、
前記液晶素子から出射された映像を、スクリーン上に拡大投射する投射手段と、
前記液晶素子と前記投射手段との間に位置し、前記スクリーン上にディスプレイされる映像を変位させる映像変位手段と、
を含んで構成されることを特徴とするディスプレイ装置。
【請求項３３】
前記液晶素子は、ＬＣＤパネルであることを特徴とする請求項３２に記載のディスプレイ装置。
【請求項３４】
前記液晶素子は、ＬＣｏＳであることを特徴とする請求項３２に記載のディスプレイ装置。
【請求項３５】
前記映像変位手段は、透光対であることを特徴とする請求項３２に記載のディスプレイ装置。
【請求項３６】
光が放出されるランプと、
前記ランプから放出された光の分布を均一にするロッドレンズと、
前記ロッドレンズから出射された光を色分割するカラーフィルと、
前記カラーフィルを介して出射されるＲ、Ｇ、Ｂ光の反射角を、映像信号によって選択的に変更するＤＭＤと、
前記ＤＭＤから出射された映像を、スクリーン上に拡大投射する投射手段と、
前記ＤＭＤと前記投射手段との間に位置し、前記スクリーン上にディスプレイされる映像を変位させる映像変位手段と、
を含んで構成されることを特徴とするディスプレイ装置。
【請求項３７】
前記変位手段は、透光体であることを特徴とする請求項３６に記載のディスプレイ装置。
【請求項３８】
光が放出される段階と、
前記放出された光と映像信号が入力された液晶素子を利用して、映像を形成する段階と、
前記映像の進行経路を周期的に変更する段階と、
前記映像をスクリーン上に投射する段階と、
を含んで構成されることを特徴とするディスプレイ方法。
【請求項３９】
光が放出される段階と、
前記放出された光が、Ｒ、Ｇ、Ｂ光に色分割される段階と、
前記Ｒ、Ｇ、Ｂ光がＤＭＤで反射される段階と、
前記ＤＭＤで反射された光の進行経路を、周期的に変更する段階と、
映像をスクリーン上に投射する段階と、
を含んで構成されることを特徴とするディスプレイ方法。
【請求項４０】
光が放出される段階と、
前記光と入力された映像信号を利用して、映像を形成する段階と、
前記映像の進行経路上に位置する変位板が動く段階と、
前記変位板を通過した映像が、スクリーン上に投射される段階と、
を含んで構成されることを特徴とするディスプレイ方法。
【請求項４１】
光が放出される段階と、
前記光と入力された映像信号を利用して、映像を形成する段階と、
前記映像の進行経路上に位置する透光体により、映像が屈折する段階と、
前記透光体を通過した映像が、スクリーン上に投射される段階と、
を含んで構成されることを特徴とするディスプレイ方法。
【請求項４２】
光が放出されるランプと、
一フレームに相当する一つの映像信号を、複数の映像信号に分離する信号処理手段と、
前記信号処理手段から入力される複数の映像信号と前記ランプで発生した光を用いて、順次に映像を形成する映像形成手段と、
前記映像形成手段で形成された映像を、スクリーン上に投射する投射手段と、
前記映像形成手段と前記スクリーンとの間に位置し、スクリーン上にディスプレイされる映像が複数の位置に変位するように、周期的に動く変位板と、
を含んで構成されることを特徴とするディスプレイ装置。
【請求項４３】
前記信号処理手段は、一フレームに相当する一つの映像信号を、映像のピクセル位置によって複数の映像信号に分離することを特徴とする請求項４２に記載のディスプレイ装置。
【請求項４４】
前記信号処理手段は、一フレームに相当する一つの映像信号を第１映像信号と第２映像信号に分離し、前記映像形成手段は、前記第１映像信号と第２映像信号を用いて、第１映像と第２映像を形成し、前記変位板は、前記第１映像と第２映像を第１位置と第２位置にディスプレイされるようにすることを特徴とする請求項４２に記載のディスプレイ装置。
【請求項４５】
前記変位板は、透光体であることを特徴とする請求項４２に記載のディスプレイ装置。
【請求項４６】
前記変位板は、中心軸を有して、所定角度の範囲内で回転することを特徴とする請求項４２に記載のディスプレイ装置。
【請求項４７】
光が放出されるランプと、
一フレームに相当する一つの映像信号を、複数の映像信号に分離する信号処理手段と、
前記信号処理手段から入力される複数の映像信号と前記ランプで発生した光を用いて、順次に映像を形成する映像形成手段と、
前記映像形成手段で形成された映像を、スクリーン上に投射する投射手段と、
前記映像形成手段と前記スクリーンとの間の光経路上に位置し、屈折によりスクリーン上にディスプレイされる映像が複数の位置に変位するように、周期的に動く透光体と、
を含んで構成されることを特徴とするディスプレイ装置。
【請求項４８】
前記透光体は、中心軸を有して、所定角度の範囲内で回転することを特徴とする請求項４７に記載のディスプレイ装置。
【請求項４９】
前記透光体は、屈折率が１．４〜２．０の範囲で選択されることを特徴とする請求項４７に記載のディスプレイ装置。
【請求項５０】
前記スクリーン上にディスプレイされる映像は、対角線方向、水平方向、垂直方向のうち、少なくとも一つの方向に変位することを特徴とする請求項４７に記載のディスプレイ装置。
【請求項５１】
前記透光体は、入力された映像信号によって動くことを特徴とする請求項４７に記載のディスプレイ装置。
【請求項５２】
前記信号処理手段は、一フレームに相当する一つの映像信号を第１映像信号と第２映像信号に分離し、前記映像形成手段は、前記第１映像信号と第２映像信号を用いて第１映像と第２映像を形成し、前記変位板は、前記第１映像と第２映像が第１位置と第２位置にディスプレイされるようにすることを特徴とする請求項４７に記載のディスプレイ装置。
【請求項５３】
複数のフレームを有する映像信号が入力される段階と、
順次に入力される一フレームの映像信号が、複数の映像信号に分離される段階と、
前記分離された複数の映像信号が順次に入力されて、映像が形成される段階と、
前記映像がスクリーン上の複数の位置に投射される段階と、
を含んで構成されることを特徴とするディスプレイ方法。
【請求項５４】
前記一フレームの映像信号は、第１映像信号と第２映像信号に分離され、前記第１映像信号と第２映像信号は第１映像と第２映像に形成され、前記第１映像と第２映像は、スクリーン上の第１位置と第２位置にディスプレイされることを特徴とする請求項５３に記載のディスプレイ方法。
【発明の詳細な説明】
【技術分野】
【０００１】
本発明は、ディスプレイ装置及び方法に関し、特に、投射型ディスプレイ装置において、解像度を効果的に向上させることができるディスプレイ装置及び方法に関する。
【背景技術】
【０００２】
最近、ディスプレイ装置は、軽量化、薄型化及び大画面に進んでいる傾向があり、特に大画面ディスプレイ装置は、ディスプレイ分野で重要な話題になっている。
【０００３】
特に、プロジェクションタイプの映像表示機器は、デジタル放送が本格化することによって、より高い解像度の表現を要求されている。
【発明の開示】
【発明が解決しようとする課題】
【０００４】
本発明は、ディスプレイ装置において、簡単な構成及び操作で、解像度を効果的に向上させることができるディスプレイ装置及び方法を提供することにその目的がある。
【課題を解決するための手段】
【０００５】
本発明に係るディスプレイ装置は、光源と、前記光源から放出された光と入力された映像信号を利用して、映像を形成する映像形成手段と、前記映像形成手段で形成された映像を、スクリーン上に投射する投射手段と、前記スクリーン上にディスプレイされる映像が変位するように、動く変位板とを含んで構成されることを特徴とする。
【０００６】
尚、本発明に係るディスプレイ装置は、光源と、前記光源から放出された光と入力された映像信号を利用して、映像を形成する映像形成手段と、前記映像形成手段で形成された映像を、スクリーン上に投射する投射手段と、前記映像が形成されて投射される光経路上に形成されて、光経路を変更する光経路変更手段とを含んで構成されることを特徴とする。
【０００７】
尚、本発明に係るディスプレイ装置は、光源と、前記光源から放出された光と入力された映像信号を利用して、映像を形成する映像形成手段と、前記映像形成手段で形成された映像を、スクリーン上に投射する投射手段と、前記映像が形成されて投射される光経路上に形成されて、光の屈折によりスクリーン上にディスプレイされる映像を変位させる透光体と、を含んで構成されることを特徴とする。
【０００８】
尚、本発明に係るディスプレイ装置は、光が放出されるランプと、前記ランプから放出された光と入力された映像信号を利用して、映像を形成する液晶素子と、前記液晶素子から出射された映像を、スクリーン上に拡大投射する投射手段と、前記液晶素子と前記投射手段との間に位置し、前記スクリーン上にディスプレイされる映像を変位させる映像変位手段とを含んで構成されることを特徴とする。
【０００９】
尚、本発明に係るディスプレイ装置は、光が放出されるランプと、前記ランプから放出された光の分布を均一にするロッドレンズと、前記ロッドレンズから出射された光を色分割するカラーフィルと、前記カラーフィルを介して出射されるＲ、Ｇ、Ｂ光の反射角を、映像信号によって選択的に変更するＤＭＤと、前記ＤＭＤから出射された映像を、スクリーン上に拡大投射する投射手段と、前記ＤＭＤと前記投射手段との間に位置し、前記スクリーン上にディスプレイされる映像を変位させる映像変位手段とを含んで構成されることを特徴とする。
【００１０】
尚、本発明に係るディスプレイ方法は、光が放出される段階と、前記放出された光と映像信号が入力された液晶素子を利用して、映像を形成する段階と、前記映像の進行経路を周期的に変更する段階と、前記映像をスクリーン上に投射する段階と、を含んで構成されることを特徴とする。
【００１１】
尚、本発明に係るディスプレイ方法は、光が放出される段階と、前記放出された光が、Ｒ、Ｇ、Ｂ光に色分割される段階と、前記Ｒ、Ｇ、Ｂ光がＤＭＤで反射される段階と、前記ＤＭＤで反射された光の進行経路を、周期的に変更する段階と、映像をスクリーン上に投射する段階とを含んで構成されることを特徴とする。
【００１２】
尚、本発明に係るディスプレイ方法は、光が放出される段階と、前記光と入力された映像信号を利用して、映像を形成する段階と、前記映像の進行経路上に位置する変位板が動く段階と、前記変位板を通過した映像が、スクリーン上に投射される段階とを含んで構成されることを特徴とする。
【００１３】
尚、本発明に係るディスプレイ方法は、光が放出される段階と、前記光と入力された映像信号を利用して、映像を形成する段階と、前記映像の進行経路上に位置する透光体により、映像が屈折する段階と、前記透光体を通過した映像が、スクリーン上に投射される段階とを含んで構成されることを特徴とする。
【００１４】
尚、本発明に係るディスプレイ装置は、光が放出されるランプと、一フレームに相当する一つの映像信号を、複数の映像信号に分離する信号処理手段と、前記信号処理手段から入力される複数の映像信号と前記ランプで発生した光を用いて、順次に映像を形成する映像形成手段と、前記映像形成手段で形成された映像を、スクリーン上に投射する投射手段と、前記映像形成手段と前記スクリーンとの間に位置し、スクリーン上にディスプレイされる映像が複数の位置に変位するように、周期的に動く変位板とを含んで構成されることを特徴とする。
【００１５】
尚、本発明に係るディスプレイ装置は、光が放出されるランプと、一フレームに相当する一つの映像信号を、複数の映像信号に分離する信号処理手段と、前記信号処理手段から入力される複数の映像信号と前記ランプで発生した光を用いて、順次に映像を形成する映像形成手段と、前記映像形成手段で形成された映像を、スクリーン上に投射する投射手段と、前記映像形成手段と前記スクリーンとの間の光経路上に位置し、屈折によりスクリーン上にディスプレイされる映像が複数の位置に変位するように、周期的に動く透光体とを含んで構成されることを特徴とする。
【００１６】
尚、本発明に係るディスプレイ方法は、複数のフレームを有する映像信号が入力される段階と、順次に入力される一フレームの映像信号が、複数の映像信号に分離される段階と、前記分離された複数の映像信号が順次に入力されて、映像が形成される段階と、前記映像がスクリーン上の複数の位置に投射される段階とを含んで構成されることを特徴とする。
【産業上の利用可能性】
【００１７】
本発明は、投射方式のディスプレイ装置に適用することができる。
【発明を実施するための最良の形態】
【００１８】
以下、添付の図面を参照して、本発明について詳細に説明する。
【００１９】
本発明では、ディスプレイ装置及び方法に関して開示される。
【００２０】
一般に、解像度とは、イメージを表現することにおいて、幾つのピクセルで表したのかを示す言葉である。すなわち、解像度は、イメージを表現することにおいて、精密さを表示する尺度として使用される。
【００２１】
従来のディスプレイ装置では、解像度を向上させるために、ピクセルの数を増加させる物理的な方法が使用されたが、本発明では、人間の視覚特性を用いて解像度を向上させる方法が使用される。
【００２２】
すなわち、本発明は、実際の物理的解像度よりずっと向上した解像度の画質で見えるようにすることで、物理的に解像度が向上したの同然の効果を得ることができる。
【００２３】
本発明は、一フレームに相当する映像信号を第１映像信号と第２映像信号に分け、それぞれ第１映像と第２映像を形成して、スクリーンの第１位置と第２位置にディスプレイすることにより、人間の視覚特性により、解像度が向上したように認識させる。
【００２４】
例えば、前記第１位置と第２位置は、一ピクセル以下の間隔またはその以上の間隔を有し、垂直方向、水平方向、対角線方向に離隔することができる。
【００２５】
特に、本発明で、第１映像と第２映像がディスプレイされる位置を、第１位置と第２位置に変位させるために、光経路変更手段が使用される。
【００２６】
前記光経路変更手段としては、透光体が使用され、前記透光体の位置または角度の変化によって、光経路が変更される。
【００２７】
図１は、本発明に係るディスプレイ装置及び方法の一実施例を示す図面である。
【００２８】
図１は、反射型ＬＣＤを用いたプロジェクションＴＶの照明系の一つである。図１の３ＰＢＳ(polarized beam splitter)システムの反射型照明系において、ランプ１から照射された光が、コンデンシングレンズを経て、第１ダイクロイックミラー(dichroic mirror)２を経ながら、赤(Ｒ)、緑(Ｇ)の光は反射され、青(Ｂ)の光は透過する。
【００２９】
そして、反射された赤、緑の光は、第２ダイクロイックミラー３を通過しながら、緑の光は反射され、赤の光は透過過程を経る。すなわち、前記赤、緑、青の光は、第１、２、３ＬＣＤパネル５ａ、５ｂ、５ｃの前方の第１、２、３ＰＢＳ４ａ、４ｂ、４ｃに入射される。
【００３０】
第１、２、３ＰＢＳ４ａ、４Ｂ、４ｃにそれぞれ入射されたＲ、Ｇ、Ｂの光は、反射されて第１、２、３ＬＣＤパネル５ａ、５ｂ、５ｃに入射され、入射されたＲ、Ｇ、Ｂの光は、第１、２、３ＬＣＤパネル５ａ、５ｂ、５ｃにより位相が変化して反射されて、それぞれ第１、２、３ＰＢＳ４ａ、４ｂ、４ｃを透過する。
【００３１】
前記第１、２、３ＬＣＤパネル５ａ、５ｂ、５ｃには、信号処理手段(図示せず)から入力された映像信号により、映像が形成される。
【００３２】
前記第１、２、３ＬＣＤパネル５ａ、５ｂ、５ｃ及び第１、２、３ＰＢＳ４ａ、４ｂ、４ｃを透過したＲ、Ｇ、Ｂの映像は、Ｘ-プリズム６で合成されて、変位板１１を経て投射レンズ(Projection Lens)１０に入射される。
【００３３】
そして、投射レンズ１０を経た映像は、スクリーン１２に投射される。
【００３４】
このとき、前記変位板１１は、前記Ｘ-プリズム６と前記投射レンズ１０との間に位置することが可能で、前記投射レンズ１０とスクリーン１２との間に位置することも可能である。
【００３５】
前記変位板１１は、光が透過できる薄い板状の透光体であって、その位置または角度の変化によって、より高い解像度の具現が可能である。
【００３６】
そして、前記図１の実施例では、反射型ＬＣＤ、ダイクロイックミラー、ＰＢＳなどを用いた光学系が図示されているが、反射型ＬＣＤの代わりに透過型ＬＣＤの使用が可能で、前記反射型ＬＣＤとして、ＬＣｏＳ(Liquid Crystal on Silicon)を使用することができる。
【００３７】
尚、図１には、三つのＬＣＤパネルを使用する３板式が図示されているが、本発明は、一つのＬＣＤパネルを使用する単板式にも適用可能であり、光学系の構造も多様に変更できる。
【００３８】
尚、本発明は、プロジェクションＴＶだけでなく、プロジェクターにも適用できる。
【００３９】
すなわち、図示された例は、本発明の思想が適用できる一実施例に過ぎないもので、本発明の権利範囲を限定するのではない。
【００４０】
図２は、本発明に係るディスプレイ装置及び方法の他の実施例を示す図面である。
【００４１】
図２は、本発明が適用されたＤＬＰ光学システムである。
【００４２】
光学システムは、ＤＭＤ１４に差す光を提供し、映像信号によって、それぞれのマイクロミラーが、オン状態でスクリーンの方に光を差させるか、オフ状態でスクリーンのない方に光を差させるかが定まる。
【００４３】
ＤＬＰ光学システムは、光が発生するランプ１７と、前記ランプ１７から発生した光が通過するロッドレンズ(rod lens)１８と、前記ロッドレンズ１８を通過した白色光がＲ、Ｇ、Ｂに色分割されるカラーフィル１９と、前記カラーフィル１９を経た光が集まるコンデンシングレンズ１３と、前記コンデンシングレンズ１３を経た光が反射されるプリズム１５と、前記プリズム５に反射された光をスクリーンに映すＤＭＤ１４と、前記ＤＭＤ１４で反射された光を時間の経過によって変位させる変位板１１と、前記変位板１１を経た光を拡大して、スクリーン１２に投射する投射レンズ１６は含まれる。
【００４４】
前記の構成に基づいて、ＤＬＰ光学システムの作動を説明する。ランプ１７から出る白色光は、反射体の内部曲率により集束され、集束された光は、光トンネルまたはロッドレンズ１８を通過する。
【００４５】
ロッドレンズ１８は、小さくて長い四つの鏡を互いに向き合うように接合したもので、ロッドレンズ１８を通過した光は乱反射されて、明度の分布が均一になる。
【００４６】
光の明度を均一にすることは、最終的にスクリーンに映る光の明度を均一にするのと同様で、このような機能をするロッドレンズ１８は、プロジェクション方式のディスプレイで重要な光学部品となる。
【００４７】
ロッドレンズ１８を通過した光は、色分割のためのカラーフィル１９を経て、カラーフィル１９は映像の垂直同期に合わせて回転する。
【００４８】
カラーフィル１９を経た光は、コンデンシングレンズ１３を経てプリズム１５に反射されて、ＤＭＤ１４に向かう。
【００４９】
プリズム１５は、光の入射角によって、全反射したり透過させたりすることができる。
【００５０】
ＤＭＤ１４に映った光は、サンプリングされたピクセル値によって制御されたマイクロミラーのオン/オフ状態によって、スクリーンに向かったり、スクリーンの外に外れる。
【００５１】
前記ＤＭＤ１４は、信号処理手段(図示せず)で入力された映像信号によってオン/オフ状態に変化し、これを通じて所定の映像が形成される。
【００５２】
ＤＭＤ１４に反射されてスクリーン１２に向かう映像は、変位板１１と投射レンズ１６を通過して、大型スクリーン１２に映るように拡大される。
【００５３】
このとき、前記変位板１１は、プリズム１５と投射レンズ１６との間に位置したり、スクリーン１２と投射レンズ１６との間に位置することができる。
【００５４】
または、前記ＤＭＤ１４とプリズム１５との間に位置することもできる。
【００５５】
そして、前記変位板１１は周期的にその位置または角度が変化して、投射される光がスクリーン１２の異なる位置に映るようにする。
【００５６】
図１と図２を参照して説明した実施例によれば、変位板１１は、Ｒ、Ｇ、Ｂの合成により映像が形成される映像形成手段とスクリーンとの間の選択された地点に位置することができる。
【００５７】
一方、図１と図２で、映像形成手段は、一フレームに相当する映像信号が、信号処理手段からそれぞれ第１映像信号と第２映像信号に分割入力され、Ｒ、Ｇ、Ｂの合成により第１映像と第２映像に形成される。
【００５８】
具体的に、図１で、映像形成手段には、第１、２、３ＬＣＤパネル５ａ、５ｂ、５ｃ、第１、２、３ＰＢＳ４ａ、４ｂ、４ｃ及びＸ-プリズム６が含まれることができる。
【００５９】
そして、図２で、映像形成手段には、カラーフィル１９、コンデンシングレンズ１３及びＤＭＤ１４が含まれることができる。
【００６０】
すなわち、本発明では、一フレームに相当する映像信号が、複数の映像信号に分割され、複数の映像に合成されてディスプレイされる。一フレームに相当する映像信号は、ｎ個の映像信号に分割でき、ｎ個の映像に合成されて、それぞれｎ個またはその以下の位置にディスプレイされることができる。
【００６１】
そして、本発明で、一つの映像がディスプレイされる時間は、一フレームの映像がディスプレイされる時間を、映像の数だけ分割した時間である。
【００６２】
但し、本発明の好ましい実施例では、一フレームに相当する映像信号を、第１映像信号と第２映像信号に分割し、第１映像及び第２映像に合成して、スクリーン上の第１位置と第２位置に順次にディスプレイすることで、解像度が向上したかように認識させる。
【００６３】
図３は、本発明に係るディスプレイ装置及び方法において、変位板の作動を示す図面である。
【００６４】
図３で、(ａ)は、変位板１１のない状態、または変位板１１の動きのない状態であって、プリズムまたは投射レンズから放出された映像が、スクリーン上の同一な位置にディスプレイされる。
【００６５】
反面、(ｂ)は、変位板１１が反時計方向に回転した場合であり、(ｃ)は、変位板が時計方向に回転した場合が図示されている。
【００６６】
最小に(ａ)の状態の変位板１１が、(ｂ)または(ｃ)の状態に変化すれば、映像が変位板１１を経ながら屈折して、スクリーン上の他の位置に映るようになる。
【００６７】
すなわち、本発明で、変位板１１は、光経路変更手段として作動することで、映像を投射するとき、変位板１１の動きによって、スクリーンの他の位置に映像がディスプレイされる。
【００６８】
言い換えれば、本発明で、変位板１１は映像変位手段として、スクリーンにディスプレイされる映像の位置を変位させる。
【００６９】
図４は、本発明に係るディスプレイ装置及び方法において、映像変位手段としての変位板の作動原理を示す図面である。
【００７０】
変位板１１の厚さ、変位板１１の傾いた角度(光の入射角)、及び変位板１１の屈折率によって、スクリーン１２での光の移動程度が計算できる。逆に、スクリーン１２で必要な光の移動程度によって、前記変位板１１の厚さ、傾いた角度、屈折率が選択できる。
【００７１】
これは、式１のスネル(Snell)の法則により誘導できる。
【００７２】
【数１】
2007517243.tif 000003
【００７３】
したがって、前記変位板１１を経た光の経路差(Ｄ)は、次の数２で表現できる。
【００７４】
【数２】
2007517243.tif 000004
【００７５】
そして、前記変位板１１を経た光の経路差(Ｄ)は、投射レンズの倍率によって、実際にスクリーン１２に映る光の変位が定まる。
【００７６】
前記変位板１１の屈折率は、１．４〜２．０の範囲で選択されることが好ましい。
【００７７】
本発明は、光の経路差(Ｄ)を発生するために、透光体を使用し、光の屈折現像を利用する。
【００７８】
一方、本発明の他の実施例によれば、光の経路を変更するために、反射ミラーを使用することもできる。
【００７９】
すなわち、光経路上に反射ミラーを位置させ、光の反射角度に変化を与えることで、反射ミラーの角度によって反射される光の経路を変更する。
【００８０】
反射を利用して光経路を変更することは、屈折を利用して光経路を変更することに比べて、反射ミラーの角度変化によって光の経路が敏感に変化するので、精密な制御が必要となる。
【００８１】
本発明で、映像の変位程度は、ピクセルの大きさより小さい範囲になることが可能で、その以上になることも可能である。しかし、映像の変位程度は大きくないので、投射レンズで投射された映像を小さい範囲内で変位させるためには、光経路変更手段が精密に作動されなければならない。
【００８２】
したがって、透光体を利用した光経路変更手段には、制御が容易で誤差発生の確率も大幅に下がるという長所がある。
【００８３】
特に、図４に図示されたように、透光体の同一な地点に入射された光は、経路差(Ｄ)だけが発生し、光の進行方向は変化しない。
【００８４】
反射ミラーを用いる場合、反射ミラーの同一な地点に入射された光でも、反射ミラーの角度によって光の進行方向が変化するので、より精密な制御が必要となる。
【００８５】
図５及び図６は、本発明に係るディスプレイ装置及び方法において、変位板の動きによってスクリーンに映る光の変位を示す図面である。
【００８６】
図５は、四角状のピクセル構造を有するディスプレイ装置において、周期的に変位板１１が動き、これによってスクリーン１２上の映像が動くことを示している。
【００８７】
(ａ)は、従来のピクセル構造で、所定時間(Ｔ＝０〜Ｔ１)の間、同一な位置に同一な映像を示しているが、(ｂ)と(ｃ)は、時間(Ｔ＝０)と時間(Ｔ＝Ｔ１)で、それぞれ異なる位置に相違する映像を示すことで、同一なピクセル数で２倍の解像度を認識可能にすることができる。
【００８８】
例えば、一フレームを構成する映像信号は、第１映像信号と第２映像信号に分けられ、一フレームの映像がディスプレイされる時間の間、前記第１映像信号及び第２映像信号の映像がそれぞれ合成されて、順次にディスプレイされるようにする。
【００８９】
具体的に、従来の場合、１/６０秒の間、同一な映像情報をディスプレイすると仮定すれば、本発明では、前記映像情報を第１映像情報と第２映像情報に分離し、１/１２０秒の間第１位置と第２位置にそれぞれディスプレイする。
【００９０】
図７には、一フレームに相当する映像から分離された第１映像と第２映像が例示されている。
【００９１】
一フレームに相当する映像は、図７の(ａ)に図示された第１映像と図７の(ｂ)に図示された第２映像に分離でき、図７に図示された第１映像と第２映像は、ピクセルの位置によって分離できる。
【００９２】
一方、前記第１映像(Ｏｄｄデータ)及び第２映像(Ｅｖｅｎデータ)がディスプレイされる位置は、前記変位板１１により変位する。
【００９３】
図５の(ｂ)には、第１映像(Ｏｄｄデータ)のディスプレイ位置と第２映像(Ｅｖｅｎデータ)のディスプレイ位置が、対角線方向に変位したことが図示されており、図５の(ｃ)には、第１映像(Ｏｄｄデータ)のディスプレイ位置と第２映像(Ｅｖｅｎデータ)のディスプレイ位置が水平方向に変位したことが図示されている。
【００９４】
図６には、菱形状のピクセル構造を有するディスプレイ装置で、スクリーンに映る映像の位置が、時間によって図示されている。
【００９５】
図６の(ａ)は、従来のピクセル構造であって、所定時間(Ｔ＝０〜Ｔ１)の間、同一な位置に同一な映像を示しているが、(ｂ)は、時間(Ｔ＝０)と時間(Ｔ＝Ｔ１)で、それぞれ異なる位置に相違する映像を示すことで、同一なピクセル数で２倍の解像度を認識可能にすることができる。
【００９６】
本発明は、周期的にスクリーン上に異なる映像がディスプレイされるようにし、これを視覚的に認識するとき、ピクセルの数が多いかのように感じさせて、同一なピクセル数で向上した解像度を具現することができる。
【００９７】
したがって、本発明は、大画面のディスプレイ装置において、低費用で、解像度を効果的に向上させることができる。
【図面の簡単な説明】
【００９８】
【図１】本発明に係るディスプレイ装置及び方法の一実施例を示す図面である。
【図２】本発明に係るディスプレイ装置及び方法の他の実施例を示す図面である。
【図３】本発明に係るディスプレイ装置及び方法において、変位板の作動を示す図面である。
【図４】本発明に係るディスプレイ装置及び方法において、画像変位手段としての変位板の作動原理を示す図面である。
【図５】本発明に係るディスプレイ装置及び方法において、変位板の動きによってスクリーンに映る光の変位を示す図面である。
【図６】本発明に係るディスプレイ装置及び方法において、変位板の動きによってスクリーンに映る光の変位を示す図面である。
【図７】本発明に係るディスプレイ装置において、第１映像と第１映像を示す図面である。
【図１】
2007517243.tif 000006
【図２】
2007517243.tif 000007
【図３】
2007517243.tif 000008
【図４】
2007517243.tif 000009
【図５】
2007517243.tif 000010
【図６】
2007517243.tif 000011
【図７】
2007517243.tif 000012
【国際調査報告】
2007517243.tif 000013